(57)【特許請求の範囲】
【請求項１】
静電情報記録媒体と電荷保持媒体とからなる電子現像型記録媒体を用いる電子現像型カメラであって、
前記電子現像型記録媒体の記録画像を画像信号として読み取る画像読取り手段と、
前記画像読取り手段で読み取られた画像信号を一フレーム毎に区分して格納するための複数の区分格納領域を持つ情報格納手段と、
前記情報格納手段の区分格納領域のうちの所定の区分格納領域から画像信号を外部に転送すべく該所定の区分格納領域を指定した際にその指定区分格納領域に画像信号が格納されている場合にその画像信号を外部に転送する第１の画像信号転送手段と、
前記指定区分格納領域に画像信号が格納されていない場合に前記画像読取り手段によって前記電子現像型記録媒体の記録画像から画像信号を読み取って外部に転送するための第２の転送信号とを具備して成る電子現像型カメラ。
【請求項２】
請求項１に記載の電子現像型カメラにおいて、更に、前記画像読取り手段によって前記電子現像型記録媒体の記録画像から画像信号を読み取る前に前記電子現像型記録媒体が未記録であるか記録済みであるかを判別する記録媒体記録済み判別手段を具備することを特徴とする電子現像型カメラ。
【請求項３】
請求項２に記載の電子現像型カメラにおいて、更に、前記記録媒体記録済み判別手段によって前記電子現像型記録媒体が未記録であるか記録済みであるかを判別する前に前記電子現像型記録媒体の装填の有無を判別するための記録媒体検出手段を具備することを特徴とする電子現像型カメラ。
【請求項４】
請求項１から３までのいずれか１項に記載の電子現像型カメラにおいて、更に、前記指定区分格納領域に画像信号が格納されていない場合に区分格納領域の指定を変更するための指定変更手段を具備することを特徴とする電子現像型カメラ。
【請求項５】
請求項２から４までのいずれか１項に記載の電子現像型カメラにおいて、前記記録媒体記録済み判別手段が前記電子現像型記録媒体の透過率を測定してその測定透過率を基準透過率と比較することによって該電子現像型記録媒体が未記録であるか記録済みであるかを判別することを特徴とする電子現像型カメラ。
【発明の詳細な説明】
【０００１】
【発明の属する技術分野】
本発明は、光学系により得られる被写体像を直ちに可視像として現像して記録する電子現像型記録媒体を使用する電子現像型カメラであって、電子スチルビデオカメラとしての機能を与えた電子現像型カメラに関する。
【０００２】
【従来の技術】
従来、光学系により得られる被写体像を記録する材料としては、銀塩写真材料が広く用いられている。銀塩写真材料は光感度および解像度が高く、また経済性にも優れている等の特徴も備えているが、しかし現像処理が煩雑であるばかりでなく、可視像を撮影時に直ちに得ることはできない。現像処理を簡単にするために乾式現像法が開発されているが、この乾式現像法においても、即時現像化即ち撮影と同時に可視像を得ることはできない。
【０００３】
一方、非銀塩写真材料としては、電子写真材料、ジアゾ写真材料、フリーラジカル写真材料等が知られている。しかしながら、そのような写真材料も銀塩写真材料のような特徴を備えており、即時現像化は不可能である。
【０００４】
以上述べた電子写真技術において、近年、光学系により得られた光学像を電子的に記録すると同時に現像することができる写真材料、即ち即時現像可能な写真材料が開発されており、そのような写真材料については、例えば特開平５−２２８０号公報に静電情報記録媒体と電荷保持媒体とを組み合わせた記録媒体として開示されている。本明細書では、かかる記録媒体については電子現像型記録媒体として言及され、その電子現像型記録媒体を用いたカメラについては電子現像型カメラとして言及される。
【０００５】
上記特許公開公報に記載された電子現像型記録媒体において、静電情報記録媒体は光導電層および無機酸化物層からなり、電荷保持媒体は液晶表示素子からなる。このような構成の電子現像型記録媒体においては、静電情報記録媒体と電荷保持媒体との間に電圧が印加された状態で静電情報記録媒体が露光されると、入射光量に応じた電荷が静電情報記録媒体に生成される。静電情報記録媒体に対向して配置された液晶表示素子に印加された電界の強さは、その生成電荷に応じて変化するので、液晶表示素子には光量分布に応じた画像が顕像として現れる。要するに、静電情報記録媒体に潜像として記録された画像が液晶表示素子に可視像として直ちに現像される訳である。
【０００６】
電子現像型記録媒体の液晶表示素子としては、メモリ性を有する液晶を用いた液晶表示素子を使用することが好ましく、この場合には液晶表示素子に電界を印加して可視像を形成した後にその電界を除去しても可視像が保持される。したがって、そのような電子現像型記録媒体は従来のスライドフィルムと同様な態様で保存しておくことが可能である。
【０００７】
以上に述べたような電子現像型記録媒体を用いるカメラを電子現像型カメラとして本明細書では言及されるが、このような電子現像型カメラに電子スチルビデオカメラとしての機能を与えることが可能であり、この場合には、電子現像型カメラ内には、電子現像型記録媒体からその記録画像を画像信号として読み取るための画像読取り機構と、その画像信号を記憶保持するための画像記録装置とが設けられる。画像読取り機構は固体撮像素子例えばＣＣＤイメージセンサを含み、このＣＣＤイメージセンサはラインセンサとして構成され得る。なお、通常の電子スチルビデオカメラの場合にあっては、ＣＣＤイメージセンサ等の固体撮像素子はエリアイメージセンサとして構成されるが、電子現像型カメラの場合にあっては、電子現像型記録媒体には可視像が記録されているので、その可視像をラインセンサでもって走査することにより、一フレーム分の画像信号を得ることができる。画像記録装置はＩＣメモリカード、フロッピーディスク、着脱自在のハードディスク等の情報格納手段即ちメモリ媒体を駆動するためのドライバ装置として構成される。要するに、電子スチルビデオカメラとしての機能を与えた電子現像型カメラにおいては、電子現像型記録媒体に記録した可視像をイメージセンサによって画像信号に変換し、この画像信号がＩＣメモリカード、フロッピーディスク、着脱自在のハードディスク等に記憶保持されるようになっている。
【０００８】
従来の通常の電子スチルビデオカメラの場合と同様に、上述したような電子現像型カメラはパーソナルコンピュータに接続されて、そこに画像信号を転送するようにしてもよいし、またＩＣメモリカード、フロッピーディスク、ハードディスク等のメモリ媒体を電子現像型カメラの画像記録装置から取り出して、パーソナルコンピュータのドライバ装置に装填してそこから画像信号を該パーソナルコンピュータ内に取り込むようにすることも可能である。要するに、ＩＣメモリカード、フロッピーディスク、ハードディスク等のメモリ媒体に格納された画像信号はその映像再現のためにパーソナルコンピュータで処理され得るようになっており、このためにはかかるメモリ媒体はパーソナルコンピュータのオペレーティングシステム（ＯＳ）に従って所定の態様でフォーマット化されて複数のファイル（即ち、区分格納領域）に区分され、個々のファイルには電子現像型記録媒体の記録画像から得られる一フレーム分の画像信号がそれぞれ格納される。
【０００９】
【発明が解決しようとする課題】
以上に述べたように、ＩＣメモリカード、フロッピーディスク、ハードディスク等のメモリ媒体が電子現像型カメラに使用されるだけでなく、パーソナルコンピュータのドライバ装置でも使用されるときには、かかるメモリ媒体の個々のファイルには電子現像型カメラで得られた画像信号以外の情報データも格納され得る。パーソナルコンピュータで使用していたＩＣメモリカード、フロッピーディスク、ハードディスク等のメモリ媒体を電子現像型カメラの画像記録装置に装填した場合、あるいは電子現像型カメラの画像記録装置に装填されていたＩＣメモリカード、フロッピーディスク、ハードディスク等のメモリ媒体を新たなメモリ媒体に交換した場合などには、そのメモリ媒体に必ずしも画像信号を格納したファイルがあるとは限らない。というのは、電子現像型記録媒体への画像記録が完了しているにも拘らず、その記録画像からの画像信号の読出しが未だ行なわれていない場合があるからである。このような場合には、パーソナルコンピュータからの画像信号の転送指令があったとき、転送すべき記録画像情報が電子現像型記録媒体にあるにも拘らずに、その記録画像情報が画像信号としてＩＣメモリカード、フロッピーディスク、ハードディスク等のメモリ媒体に画像信号として書き込まれていないために、パーソナルコンピュータからの画像信号の転送指令に応えられない場合がある。
【００１０】
従って、本発明の目的は上述したようなタイプの電子現像型カメラであって、そこからパーソナルコンピュータへの画像信号の転送を可能な限り実行し得るように構成された電子現像型カメラを提供することである。
【００１１】
【課題を解決するための手段】
本発明による電子現像型カメラは静電情報記録媒体と電荷保持媒体とからなる電子現像型記録媒体を用いるものであって、該電子現像型記録媒体の記録画像を画像信号として読み取る画像読取り手段と、この画像読取り手段で読み取られた画像信号を一フレーム毎に区分して格納するための複数の区分格納領域を持つ情報格納手段と、この情報格納手段の区分格納領域のうちの所定の区分格納領域から画像信号を外部に転送すべく該所定の区分格納領域を指定した際にその指定区分格納領域に画像信号が格納されている場合にその画像信号を外部に転送する第１の画像信号転送手段と、指定区分格納領域に画像信号が格納されていない場合に画像読取り手段によって電子現像型記録媒体の記録画像から画像信号を読み取って外部に転送するための第２の転送信号とを具備して成るものである。
【００１２】
本発明による電子現像型カメラは、更に、画像読取り手段によって電子現像型記録媒体の記録画像から画像信号を読み取る前に電子現像型記録媒体が未記録であるか記録済みであるかを判別する記録媒体記録済み判別手段を具備し得る。また、本発明による電子現像型カメラは、更に、記録媒体記録済み判別手段によって電子現像型記録媒体が未記録であるか記録済みであるかを判別する前に電子現像型記録媒体の装填の有無を判別する記録媒体検出手段を具備してもよい。
【００１３】
本発明による電子現像型カメラにおいては、好ましくは、指定区分格納領域に画像信号が格納されていない場合に区分格納領域の指定を変更するための指定変更手段が設けられる。
【００１４】
また、好ましくは、記録媒体記録済み判別手段については、電子現像型記録媒体の透過率を測定してその測定透過率を基準透過率と比較することによって該電子現像型記録媒体が未記録であるか記録済みであるかを判別するように構成される。
【００１５】
【発明の実施の形態】
次に、添付図面を参照して、本発明による電子現像型カメラの実施形態について以下に説明する。
【００１６】
図１を参照すると，本発明による電子現像型カメラの第１の実施形態が示され、この電子現像型カメラはスチルビデオカメラとしての機能を持つ。電子現像型カメラのカメラ本体１０の側面にはスロット１１が形成され、このスロット１１を介して電子現像型記録媒体ＲＭがその内部の装填位置に挿入されるようになっている。
【００１７】
カメラ本体１０を前方から見ると、その前面の略中央には撮影レンズ等を備えた撮像光学系１２が設けられ、撮像光学系１２の右上方にはストロボ１４が配設される。また、ストロボ１４の反対側にはレリーズスイッチ（ＲＳ）１６および測光センサ１８が設けられる。カメラ本体１０の上面中央部にはファインダ２０が設けられ、このファインダ２０の一方の片側には液晶表示パネル２２およびスキャンスタートスイッチ（ＳＳ）２３が設けられ、その他方の片側にはメインスイッチ即ち電源スイッチ２４が設けられる。更に、カメラ本体１０の側面下部には出力端子コネクタ２６が設けられる。スロット１の下端に隣接してエジェクタ釦２７が設けられ、このエジェクタ釦２７を押圧することにより、電子現像型記録媒体ＲＭを電子現像型カメラから取り出すことができる。
【００１８】
図２には図１に示した電子現像型カメラがブロック図として示され、同図において、システムコントロール回路２８はマイクロコンピュータあるいはマイクロプロセッサとして構成され、電子現像型カメラの全体の制御を行う。
【００１９】
撮像光学系１２には複数のレンズ群の他に絞り３０も含まれ、撮像光学系１２の後方には、電子現像型記録媒体ＲＭが配置される。撮像光学系１２と電子現像型記録媒体ＲＭとの間にはクイックリターンミラー３２が設けられ、クイックリターンミラー３２と電子現像型記録媒体ＲＭとの間にはシャッタ３４が設けられる。ファインダ２０内にはファインダ光学系のピント板３６が設けられ、このピント板３６はクイックリターンミラー３２の上方に位置する。
【００２０】
絞り３０、クイックリターンミラー３２およびシャッタ３４はそれぞれアイリス駆動回路３８、ミラー駆動回路４０およびシャッタ駆動回路４２によって駆動され、これら駆動回路３８、４０および４２は露出制御回路４４によって制御される。露出制御回路４４はシステムコントロール回路２８から出力される指令信号に従って作動させられる。詳述すると、露出制御時、測光センサ１８からの出力信号に基づく露出制御回路４４の制御に従って、絞り３０の開度がアイリス駆動回路３８により調整される。クイックリターンミラー３２は、通常、被写体像を観察するための位置であるダウン位置（実線で示す傾斜状態）に定められ、これにより撮像光学系１２を通過した光はファインダ２０のファインダ光学系に導かれるが、撮影動作時、クイックリターンミラー３２は露出制御回路４４の制御に従って、ミラー駆動回路４０により上方に回動させられてアップ位置（破線で示す水平状態）に定められる。シャッタ３４は電子現像型記録媒体ＲＭへの光路を開閉する。即ち、シャッタ３４は通常は閉鎖しているが、撮影動作時、露出制御回路４４の制御に従って、シャッタ駆動回路４２により所定時間開放され、かくして撮像光学系１２を通過した光が電子現像型記録媒体ＲＭの受光面に届くことになる。要するに、クイックリターンミラー３２をアップ位置に移動させかつシャッタ３４を開放することにより、被写体像が撮像光学系１２によって電子現像型記録媒体ＲＭの受光面に結像されることになる。
【００２１】
電子現像型記録媒体ＲＭには記録媒体駆動回路４６の制御に基づいて電圧が印加され、記録媒体駆動回路４６はシステムコントロール回路２８から出力される指令信号に従って作動させられる。電子現像型記録媒体ＲＭに電圧が印加されている間にその受光面が露光されると、そこには被写体像が顕像として直ちに現れる。なお、電子現像型記録媒体ＲＭの構成については後で詳しく説明する。
【００２２】
電子現像型記録媒体ＲＭの記録位置の近傍には画像読取り機構４８が所定位置に配置され、この画像読取り機構４８により電子現像型記録媒体ＲＭからその記録画像が必要に応じて画像信号として読み取られる。詳述すると、画像読取り機構４８は光源５０と、スキャナ光学系５２と、ラインセンサ５４とを保持して、電子現像型記録媒体ＲＭに沿ってその副走査方向に移動可能となっている。即ち、図２において、画像読取り機構４８は実線で示す退避位置と破線で示す画像読取り終了位置との間で移動させられる。光源５０は例えば発光素子（ＬＥＤ）アレイから構成されてシャッタ３４の前面側、即ち電子現像型記録媒体ＲＭの前面側に配置される。一方、スキャナ光学系５２およびラインセンサ４８は電子現像型記録媒体ＲＭの背面側に配置され、ラインセンサ４８は例えば２，０００  画素のＣＣＤ一次元センサとして構成される。画像読取り機構４８が電子現像型記録媒体ＲＭに沿って副走査方向に移動させられるとき、シャッタ３４は開放状態とされ、かつ光源５０は“オン”状態とされ、このため電子現像型記録媒体ＲＭは光源５０でもってその副走査方向に沿って順次照明される。電子現像型記録媒体ＲＭに照明された照明光はそこに記録された画像濃度に応じて透過させられ、その透過光はスキャナ光学系５２によってラインセンサ４８の受光素子に対して結像される。
【００２３】
光源５０のオン／オフ制御は照明光源駆動回路５６により行われ、また画像読取り機構４８の移動制御はスキャナ系駆動回路５８により行われ、これら駆動回路５６および５８はシステムコントロール回路２８により制御される。
【００２４】
一方、画像読取り機構４８の読取り動作中、ラインセンサ４８からは順次画像信号がシステムコントロール回路２８の制御に従ってラインセンサ駆動回路６０により読み出され、その画像信号はアンプ６２により増幅された後にアナログ／デジタル（Ａ／Ｄ）変換器６４によってデジタル画像信号に変換される。次いで、デジタル画素信号はシステムコントロール回路２８の制御に従って画像処理回路６６でシェーディング補正、ガンマ補正等の画像処理を受けた後にメモリ６８に一時的に格納される。なお、メモリ６８はラインセンサ４８から出力される一水平走査分の画像信号を格納し得るような記憶容量を持つものであってもよいし、あるいは一フレーム分の画像信号を格納し得るようなフレームメモリであってもよい。また、メモリ６８はシェーディング補正等の補正データを格納するためのＥ２  ＰＲＯＭを備えている。
【００２５】
メモリ６８に格納された画像信号は必要に応じて適宜読み出される。例えば、画像処理回路６６によってメモリ６８から読み出された画像信号はインターフェイス回路７０に入力されてフォーマットの変換等の処理を受けた後に出力端子コネクタ２６を介して外部のモニタ装置（図示せず）等に出力可能である。また、画像処理回路６６から出力された画像信号は記録装置制御回路７２で画像圧縮あるいはフォーマットの変換等の処理を受けた後に画像記録装置７４でＩＣメモリカード、フロッピーディスク、着脱自在のハードディスク等のメモリ媒体に記録可能である。画像記録装置７４はＩＣメモリカード、フロッピーディスク、着脱自在のハードディスク等のメモリ媒体を駆動するドライバ装置であり、このドライバ装置により、該メモリ媒体への画像信号の書込みおよびそこからの画像信号の読出しが行なわれる。ドライバ装置即ち画像記録装置７４によってかかるメモリ媒体から読み出された画像信号はインターフェイス回路７０および出力端子コネクタ２６を介して外部のパーソナルコンピュータ等（図示されない）に転送可能である。一方、ＩＣメモリカード、フロッピーディスク、着脱自在のハードディスク等のメモリ媒体は画像記録装置７４から取り出して、パーソナルコンピュータ等のドライバ装置に装填することも可能であり、この場合にはパーソナルコンピュータ等はそのドライバ装置によって画像信号を取り込むことができる。なお、インターフェイス回路７０と記録装置制御回路７２はシステムコントロール回路２８からの指令信号に従って作動させられる。
【００２６】
図２に示すように、液晶表示パネル２２は液晶表示パネル駆動回路７６を介してシステムコントロール回路２８に接続され、ユーザが必要とするような撮影に伴う種々のデータや情報を表示するために使用され得る。また、システムコントロール回路２８にはレリーズスイッチ１６、スキャンスタートスイッチ２３および電源スイッチ２４等が接続される。後述するように、レリーズスイッチ１６は撮影動作を実行させるためのスイッチとして機能し、スキャンスタートスイッチ２３は記録済み電子現像型記録媒体ＲＭからの画像信号読取り動作を実行させるためのスイッチとして機能し、また電源スイッチ２４は電子現像型カメラの主電源のオン／オフ制御を行う。
【００２７】
図３を参照すると、本発明の第１の実施形態で用いられる電子現像型記録媒体ＲＭの一例が示され、この電子現像型記録媒体ＲＭは静電情報記録媒体７８および電荷保持媒体８０から構成される。静電情報記録媒体７８は基板７８ａと、電極層７８ｂと、無機酸化物層７８ｃ、光導電層７８ｄとからなる積層体構造を有し、光導電層７８ｄは電荷発生層７８ｄ１  および電荷輸送層７８ｄ２  を重合させて構成される。なお、静電情報記録媒体７８の全体は光透過性を有するものである。電荷保持媒体８０は先に述べたように液晶表示素子として構成され、それは透明支持板８０ａと透明電極板８０ｂとの間に液晶８０ｃを封入して構成される。静電情報記録媒体７８の電荷輸送層７８ｄ２  と電荷保持媒体８０の液晶支持体８０ａとは微小なギャップをもって対向させられる。図３に示すように、静電情報記録媒体７８と電荷保持媒体８０との間には電源８２によって所定電圧が印加されることになるが、電源８２自体は電子現像型記録媒体ＲＭの一部を構成するものではなく、記録媒体駆動回路４６（図２）の一部を成すものである。
【００２８】
電子現像型記録媒体ＲＭへの給電制御は記録媒体駆動回路４６によって制御され、給電状態のとき、静電情報記録媒体７８の電極層７８ｂと電荷保持媒体８０の透明電極板８０ｂとの間に所定電圧が印加される。このような電圧印加状態で静電情報記録媒体ＲＭが露光されると、静電情報記録媒体７８には被写体像の明度に応じた電荷分布が発生し、電荷保持媒体８０の液晶８０ｃにはその電荷分布に応じた電界強度が作用する。かくして、電荷保持媒体即ち液晶表示素子８０には被写体像が顕像として現れる。要するに、静電情報記録媒体７８で得られた電子的潜像が液晶表示素子８０で直ちに現像される訳である。なお、電荷保持媒体８０がメモリ性を有する液晶を用いた液晶表示素子として構成された場合には、そこに記録された可視像は電界を除去しても保持される。
【００２９】
図４のグラフには、白色領域と黒色領域とからなるチャートを被写体像として静電情報記録媒体７８に結像した際にそこに形成される明部領域と暗部領域との透過率変化特性が示される。即ち、同図のグラフにおいて、特性曲線Ａは電圧印加時間に対する明部領域の透過率変化特性を示し、特性曲線Ｂは電圧印加時間に対する暗部領域の透過率変化を示す。詳述すると、静電情報記録媒体７８の電極層７８ｂと電荷保持媒体８０の透明電極板８０ｂとの間に所定の電圧を印加した状態でかかるチャートの被写体像を静電情報記録媒体７８の受光面に結像させると、黒色領域に対応した暗部領域（遮光されている領域も含む）では、光導電層７８ｄの電気抵抗は変化がなく大きいままとなるが、しかし明部領域では、光導電層７８ｄの電気抵抗は暗部領域の電気抵抗より小さくなる。このため明部領域での印加電圧は暗部領域での印加電圧よりも大きくなるので、液晶表示素子８０での明部領域と暗部領域との透過率変化特性は図４のグラフに示すようなものとなる。
【００３０】
明部領域と暗部領域とでの透過率の差は液晶表示素子８０に記録された画像のコントラストを示し、最大コントラストの明瞭な画像を得るためには、電源８２による電圧印加を時間ｔ２  で停止すればよい。このような最適電圧印加時間ｔ２  より早めに電圧印加が停止されると、例えば時間ｔ１  で電圧印加が停止されると、コントラストの小さな不鮮明な画像となる。一方、最適電圧印加時間ｔ２  を過ぎると、明部領域と暗部領域とでの透過率の差が次第に小さくなり、例えば電圧印加時間ｔ３  で得られるコントラストは電圧印加時間ｔ２  で得られるコントラストのほぼ半分となる。
【００３１】
したがって、以上の記載から明らかなように、画像記録時において必ず露光される領域の透過率変化を検出すれば、装填された電子現像型記録媒体ＲＭが記録済みであるか否かを判別することができる。また、電子現像型記録媒体ＲＭには画像記録の際には必ず電圧が印加されるので、遮光された領域における液晶の透過率変化を検出することによっても、装填された電子現像型記録媒体ＲＭが未記録なものか否かが判別できる。
【００３２】
図５を参照すると、本実施形態で用いられる電子現像型記録媒体ＲＭの外観が示される。同図から明らかなように、電子現像型記録媒体ＲＭの周囲縁に沿うマージン領域は矩形状フレーム８４によって覆われ、この矩形状フレーム８４の内側領域が画像記録領域８６とされる。矩形状フレーム８４の適当な箇所の両面には互いに整列された開口部が形成され、マージン領域の一部が露出させられ、この露出領域が検出領域８８とされる。即ち、検出領域８８の透過率を検出することにより、電子現像型記録媒体ＲＭが記録済みであるか否かを判別する。
【００３３】
再び、図２に戻ると、電子現像型記録媒体ＲＭの装填位置の両側には光源９０および光センサ９２が互いに整列して配置され、電子現像型記録媒体ＲＭがその装填位置に置かれたとき、その検出領域８８が光源９０と光センサ９２との間に位置されるようになっている。なお、光源９０と光センサ９２との間にはシャッタ３４が介在しているが、そこには孔３４ａが形成されているので、光源９０から射出した光束は孔３４ａおよび検出領域８８を経て光センサ９２に検出され得るようになっている。光源９０は電子現像型記録媒体への露光動作に伴って、上述の検出領域を露光させるためのものであり、例えば発光素子（ＬＥＤ）からなる。光源９０は発光素子駆動回路９４によって駆動され、発光素子回路９４はシステムコントロール回路２８により、レリーズスイッチ１６の操作、即ち露光動作の開始に連動して光源９０を所定時間（少なくとも図４におけるｔ１  より長い時間）点灯されるように構成されている。
【００３４】
また、電子現像型記録媒体ＲＭの装填位置の近傍には媒体検出センサ９８が設けられ、この媒体検出センサ９８はカメラ本体１０のスロット１１内の適当な箇所に配置される。媒体検出センサ９８はコンタクトスイッチとして構成され、このコンタクトスイッチ９８は電子現像型記録媒体ＲＭの装填によりオンされ、その非装填時にはオフとされる。図２に示すように、コンタクトスイッチ９８からのオン／オフ信号はシステムコントロール回路２８に出力される。なお、言うまでもないが、媒体検出センサ９８はコンタクトスイッチ以外のものでもよく、例えば光学的センサとしても構成され得る。
【００３５】
上述したように、画像記録装置７４で用いられるＩＣメモリカード、フロッピーディスク、ハードディスク等のメモリ媒体はパーソナルコンピュータ等でも使用されるものであるから、そのようなメモリ媒体はパーソナルコンピュータのオペレーティングシステム（ＯＳ）に従って所定の態様でフォーマット化されて複数のファイルに区分される。図６には、例えば、ＯＳがＭＳ−ＤＯＳ（マイクロソフト社の商品名）である場合、かかるメモリ媒体のフォーマット化が模式的に示されている。同図に示すように、ＩＣメモリカード、フロッピーディスク、ハードディスク等のメモリ媒体の記憶領域は多数のファイルに区分され、またその一部はファイル管理データを格納するためのファット（ＦＡＴ）領域およびディレクトリエントリ領域とされる。また、図７に示すように、各ファイルはヘッダ領域と、通常は使用されない未使用領域と、データ領域とに分かれ、データ領域には種々の情報データが格納され、またヘッダ領域にはそのファイルに関連したヘッダ情報データ、例えばファイルの属性、ヘッダ領域の長さ、データ領域のオフセット量（図７）等が格納される。このようにメモリ媒体の個々のファイルのヘッダ領域には種々のヘッダ情報データが格納されており、これらヘッダ情報データを見ることにより個々のファイルに画像信号が格納されているか否か（すなわち画像ファイルか否か）を判別することが可能である。
【００３６】
本願発明によれば、電子現像型記録媒体ＲＭの記録画像から読み出された画像信号をＩＣメモリカード、フロッピーディスク、ハードディスク等のメモリ媒体のファイルに書き込んだりする場合、その書込みをどのファイルに行なうかを選択して指定することが可能であり、このようなファイルの選択指定は図２に示すようなファイル選択スイッチ（ＦＳ）７５によって行なわれ、このとき該ファイルには所定のファイル名が与えられる。ファイル選択スイッチ７５は例えば一連の通し番号を指示するようになったロータリスイッチとして構成され、そのロータリスイッチの回転位置を変えることにより、該メモリ媒体内のファイルのいずれか１つにはファイル名（この場合には番号等）が付与される。ファイル選択完了スイッチ（ＦＤ）７７はファイル選択スイッチ７５による任意のファイルの選択指定が完了した後に押下されるものであり、その押下によりファイルの選択指定が完了したという信号がシステムコントロール回路２８に入力される。また、ファイル選択スイッチ７５はＩＣメモリカード、フロッピーディスク、ハードディスク等のメモリ媒体のファイルから画像信号を外部のパーソナルコンピュータに転送する際にどのファイル名のものから画像信号を転送するかを選択して指定する場合にも用いられ、その選択指定の後にファイル選択完了スイッチ７７が押下されると、その押下によりファイルの選択指令が完了したという信号がシステムコントロール回路２８に入力される。
【００３７】
次に、図８、図９および図１０に示すフローチャートを参照して、図１および図２に示した電子現像型カメラの作動について説明する。図８に示したフローチャートは電子現像型カメラ内に電子現像型記録媒体ＲＭが装填されたか否かを検出する記録媒体検出ルーチンであり、この記録媒体検出ルーチンは例えば１０ｍｓ毎に実行される割込みルーチンであり、その実行開始は電源スイッチ２４をオンすることによって行われる。また、図９および図１０に示したフローチャートは電子現像型カメラのメインルーチンであり、このメインルーチンも電源スイッチ２４のオンによって実行される。
【００３８】
先ず、図８に示した記録媒体検出ルーチンについて説明すると、ステップ８０１では、コンタクトスイッチ（ＣＳ）９８がオンであるかオフであるかが判断される。即ち、電子現像型カメラ内に電子現像型記録媒体ＲＭが装填されたか否かが判断される。コンタクトスイッチ９８がオンのとき、即ち電子現像型記録媒体ＲＭが装填されたとき、ステップ８０２に進み、そこで記録媒体検出フラグＦ１が“１”にセットされる。一方、コンタクトスイッチ９８がオフのとき、即ち電子現像型カメラ内に電子現像型記録媒体ＲＭが装填さていないとき、ステップ８０３に進み、そこで記録媒体検出フラグＦ１は“０”にリセットされる。ステップ８０２あるいはステップ８０３を経た後、記録媒体検出ルーチンは一旦終了するが、電源スイッチ２４がオンされている限り、このルーチンは１０ｍｓ毎に繰り返し実行されることになる。
【００３９】
次に、図９および図１０に示したメインルーチンについて説明すると、先ず、ステップ９０１では、記録媒体検出フラグＦ１が“１”であるか“０”であるかが判断される。即ち、電子現像型カメラ内に電子現像型記録媒体ＲＭが装填されているか否かが判断され、もし電子現像型記録媒体ＲＭが装填されていない場合には待機状態となって、ステップ９０１からは先に進むことはない。
【００４０】
ステップ９０１でＦ１＝１となったとき、即ち電子現像型記録媒体ＲＭが装填されたとき、ステップ９０２に進み、その電子現像型記録媒体ＲＭが記録済みであるか否かが判別される。もしステップ９０２において、電子現像型記録媒体ＲＭが未記録であると判別されたときには、記録媒体判別フラグＦ２は“１”にセットされ、また電子現像型記録媒体ＲＭが記録済みであると判別されたときには、記録媒体判別フラグＦ２は“０”にリセットされる。なお、電子現像型記録媒体ＲＭが記録済みであるか否かの判別については図１１を参照して後で詳しく説明する。
【００４１】
ステップ９０３では、記録媒体判別フラグＦ２が“１”であるか“０”であるかが判断される。Ｆ２＝１であるとき、即ち電子現像型記録媒体ＲＭが未記録であるとき、ステップ９０４に進み、そこで記録媒体検出フラグＦ１が“１”であるか“０”であるかが再び判断される。もしＦ１＝１であれば、即ち当初の電子現像型記録媒体ＲＭ（未記録）が装填された儘にされているならば、ステップ９０５に進み、そこでレリーズスイッチ（ＲＳ）１６がオンされたか否かが判断される。もしレリーズスイッチ１６がオフであるならば、ステップ９０４に戻される。要するに、ステップ９０４および９０５では、ユーザが未記録の電子現像型記録媒体ＲＭを何等かの理由（例えば、撮影を中止するような場合）で電子現像型カメラから抜き出した場合が想定されており、その場合には、Ｆ＝０となって、ステップ９０４からステップ９０１に戻り、このルーチンは次の電子現像型記録媒体ＲＭの装填に対して備えることになる。
【００４２】
ステップ９０４およびステップ９０５からなるルーチンが繰り返されている間に、ユーザが電子現像型カメラを被写体に向けてレリーズスイッチ１６をオンすると、ステップ９０５からステップ９０６に進み、そこで一連の撮影動作が実行され、未記録の電子現像型記録媒体ＲＭに被写体像の記録が行われる。なお、撮影動作については図１２および図１３を参照して後で詳しく説明する。ステップ９０６で一連の撮影動作が完了すると、ステップ９０７に進み、そこで記録媒体判別フラグＦ２が“１”から“０”に書き換えられ（この時点で電子現像型カメラに装填されている電子現像型記録媒体ＲＭは記録済みのものとなる）、次いでステップ９０３に戻される。
【００４３】
一方、ステップ９０３でＦ２＝０であるとき、即ち電子現像型記録媒体ＲＭが記録済みであるとき、ステップ９０８に進み、そこで電子現像型記録媒体ＲＭが記録済みである旨、スキャンスタートスイッチ（ＳＳ）２３のオンにより電子現像型記録媒体ＲＭの記録画像の読取りが可能である旨、およびファイル選択スイッチ（ＦＳ）７５によりファイル名（画像記録装置７４内のハードディスク等のメモリ媒体）を選択して指示すべき旨が液晶表示パネル２２に順次表示される。次いで、ステップ９０９に進み、そこでファイル指定完了スイッチ（ＦＤ）７７がオンされた否かが判断される。即ち、ステップ９０９では、ユーザが電子現像型記録媒体ＲＭの記録画像から読み出される画像信号を格納すべきファイルをファイル選択スイッチ７５によって選択して指定し、その後にファイル指定完了スイッチ７７が押下されるまで、待機状態となる。
【００４４】
ステップ９０９でファイル指定完了スイッチ７７が押下されると（このときファイル選択スイッチ７５によって選択して指定された指定ファイルにはファイル名（番号）が付与されている）、ステップ９１０に進み、そこで画像記録装置７４内のメモリ媒体のディレクトリエントリから情報が読み出され、次いでステップ９１１で該メモリ媒体に指定ファイル名と同一のファイル名があるか否かが判断される。もし指定ファイル名と同一のファイル名がある場合には、ステップ９１２に進み、そこで該メモリ媒体内には同一のファイル名が既にあり、指定ファイル名を変更すべきか否かが液晶表示パネル２２に表示される。
【００４５】
この場合、同一ファイル名のものには何らかの情報データ（画像信号を含む）が格納されており、もし指定ファイル名を変更しない場合にはそこに電子現像型記録媒体ＲＭから読み出された画像信号が上書きされることになる。このような上書きを望まない場合には、指定ファイル名を変更することが必要であり、この指定ファイル名の変更はファイル選択スイッチ（ＦＳ）７５の操作により行なわれる。即ち、ファイル選択スイッチ７５によって先に指定したファイル以外のファイルを選択して指定することにより、ファイル名の変更が行なわれ、このファイル名変更操作はファイル指定完了スイッチ（ＦＤ）７７を押下してオンすることにより完了する。また、指定ファイル名を変更しない場合には、ファイル選択スイッチ７５を操作することなくファイル指定完了スイッチ７７だけが押下されてオンされる。なお、ファイル指定完了スイッチ７７のオンについてはユーザに予め知識として与えることもできるし、あるいは以上のような手順を液晶表示パネル２２に順次表示するようにしてもよい。
【００４６】
以上で述べたように、指定ファイル名を変更する場合でも、指定ファイル名を変更しない場合でも、最終的にはファイル指定完了スイッチ（ＦＤ）７７が押下され、ステップ９１３ではそのようなファイル指定完了スイッチ７７の押下即ちオンが監視される。ステップ９１３でファイル指定完了スイッチ７７の押下が確認されると、ステップ９１４に進み、そこで指定ファイル名の変更があったか否かが判断される。指定ファイル名の変更があったとき、ステップ９１０に戻り、ステップ９１０、９１１、９１２、９１３および９１４からなるルーチンが繰り返される。
【００４７】
一方、ステップ９１１で記録媒体内に指定ファイル名と同一のファイル名がなかった場合、あるいはステップ９１４で指定ファイル名の変更がなかったとき、ステップ９１５に進み、そこでスキャンスタートスイッチ（ＳＳ）２３のオンにより電子現像型記録媒体ＲＭからの記録画像読取りが行なわれる旨が液晶表示パネル２２に表示される。次いで、ステップ９１７に進み、そこでスキャンスタートスイッチ２３がオンされたか否かが判断され、スキャンスタートスイッチ２３がオンされるまで、ステップ９１５、９１６および９１７からなるルーチンが繰り返される。なお、かかるルーチンが繰り返し実行されている間に、何らかの理由により電子現像型記録媒体ＲＭが電子現像型カメラから抜きだされた場合（例えば、撮影動作を行なうべく新たな未記録電子現像型記録媒体ＲＭと交換するような場合）には、ステップ９１６からステップ９０１に戻される。
【００４８】
ステップ９１７でスキャンスタートスイッチ２３がオンされると、ステップ９１８に進み、そこで画像記録装置７４内のメモリ媒体の記憶容量が十分であるか否かが判断される。もし記憶容量が十分であれば、ステップ９１９に進み、そこで該メモリ媒体のディレクトリエントリ領域およびＦＡＴ領域のファイル管理データが書き換えられ、次いでステップ９２０に進み、そこで該指定ファイルのヘッダ領域に必要なヘッダ情報データ例えばファイルの属性、ヘッダ領域の長さ、データ領域のオフセット量等が書き込まれる。
【００４９】
続いて、ステップ９２１に進み、そこで一連の画像読取り動作が実行され、記録済みの電子現像型記録媒体ＲＭからその記録画像が画像信号として読み取られ、この画像信号は順次上述の指定ファイルのデータ領域に書き込まれる。なお、記録画像の読取り動作については図１４および図１５を参照して後で詳しく説明する。ステップ９２１で一連の画像読取り動作が完了すると、ステップ９２２に進み、そこで記録媒体検出フラグＦ１が“０”になるまで待機状態となる。即ち、画像読取りが一旦終了した電子現像型記録媒体ＲＭが電子現像型カメラから抜き取られるまで待機状態となる。かかる電子現像型記録媒体ＲＭが抜き取られて、Ｆ＝０となると、ステップ９０１に戻り、このルーチンは次の電子現像型記録媒体ＲＭの装填に対して備えることになる。
【００５０】
なお、ステップ９１８で画像記録装置７４内のメモリ媒体の記憶容量が不十分であると判断されると、ステップ９２３に進み、そこで該メモリ媒体の記憶容量が不足である旨が液晶表示パネル２２に表示され、次いでステップ９２４に進み、そこでＩＣメモリカード、フロッピーディスク、ハードディスク等のメモリ媒体が交換されたか否かが判断され、メモリ媒体が交換されると、ステップ９２３からステップ９１０に戻される。
【００５１】
図１１には図１０のステップ９０２で実行される記録媒体記録済み判別ルーチンが示される。
【００５２】
ステップ１１０１では、光源即ち発光素子９０が発光素子駆動回路９４によってオンされ、次いでステップ１１０２では光センサ９２が作動されてその出力信号がアンプ９６によって増幅された後にシステムコントロール回路２８内に取り込まれる。光センサ９２によって受けられた光は発光素子９０から射出されて電子現像型記録媒体ＲＭの検出領域８８を透過して来たものであるから、光センサ９２からの出力信号は検出領域８８の透過率情報を持つことになる。
【００５３】
ステップ１１０３では、光センサ１０２からの出力信号に基づいて、透過率測定データＭＰが算出され、次いでステップ１１０４で光源９０がオフされる。続いて、ステップ１１０５では、透過率測定データＭＰが基準透過率測定データＲＰと比較される。基準透過率測定データＲＰはシステムコントロール回路２８内の読出し専用メモリ（ＲＯＭ）に格納されるものであって、例えば図４において参照符合ＲＬで示す透過率レベルに対応するものである。ここで、測定対象となっている電子現像型記録媒体ＲＭが未記録のものであるとすると、透過率測定データＭＰは最低透過率レベルＭＬとほぼ同じレベルであるために、透過率測定データＭＰは基準透過率データＲＰよりも小さい筈である。一方、もし測定対象となっている電子現像型記録媒体が記録済みのものであるならば、透過率測定データＭＰは透過率レベルＲＬよりも大きくなっている筈である。
【００５４】
ステップ１１０５で透過率測定データＭＰが基準透過率データＲＰよりも小さいと判断されたとき、即ち電子現像型記録媒体ＲＭが未記録であると判断されたとき、ステップ１１０６に進み、そこで記録媒体判別フラグＦ２は“１”とされ、次いで図９のステップ９０３に戻る。一方、ステップ１１０５で透過率測定データＭＰが透過率レベルＲＬよりも大きいと判断されたとき、即ち測定対象となっている電子現像型記録媒体ＲＭが記録済みであると判断された場合には、ステップ１１０７に進み、そこで記録媒体判別フラグＦ２は“０”とされ、次いで図９のステップ９０３に戻る。
【００５５】
図１２には図９のステップ９０６で実行される撮影動作ルーチンが示され、また図１３にはその撮影動作のタイムチャートが示される。
【００５６】
図９のフローチャートにおいて、ステップ９０４および９０５からなるルーチンが繰り返されている間に、ユーザがレリーズスイッチ１６をオンすると、レリーズスイッチ（ＲＳ）１６からオン信号が出力される（図１３）。レリーズスイッチ１６からオン信号が出力されると、ステップ１２０１では、測光センサ１８から測光データが検出されてシステムコントロール回路２８内に取り込まれる。次いで、ステップ１２０２ではその測光データに基づいて露出演算が実行される（図１３）。
【００５７】
ステップ１２０３では、露出演算が終了したか否かが判断され、露出演算が終了すると、ステップ１２０４に進み、そこで絞り３０が全開状態から所定の設定開度まで絞られ、その設定開度は上述の露出演算の結果に基づいて行われる。続いて、ステップ１２０５では、クイックリターンミラー３２がダウン位置からアップ位置に向かって移動させられる。ステップ１２０６では、所定時間が経過したか否かが判断され、その時間は絞り３０の全開状態から設定開度までの移行並びにクイックリターンミラー３２のダウン位置からアップ位置への移動に要する時間とされる。
【００５８】
ステップ１２０６で所定時間が経過すると、ステップ１２０７に進み、そこで記録媒体活性化信号が記録媒体駆動回路４６から出力され（図１３）、これにより静電情報記録媒体７８とその電荷保持媒体（液晶表示素子）８０との間に所定電圧が印加され、また発光素子駆動回路９４からはオン信号が出力され、これにより光源即ち発光素子９０がオンされる。次いで、ステップ１２０８では、シャッタ３４が開放され（図１３）、かくして未記録の電子現像型記録媒体ＲＭは露光される。即ち、電子現像型記録媒体ＲＭには撮像光学系１２を通して被写体像が結像され、その被写体像は電荷保持媒体即ち液晶表示素子８０に顕像として現れる。
【００５９】
ステップ１２０９では、電子現像型記録媒体ＲＭへの適正な露出時間が経過したか否かが判断され、その露出時間も上述の露出演算結果に基づいて決められる。ステップ１２０９で露出時間が経過すると、ステップ１２１０に進み、そこでシャッタ３４が閉じられる。続いて、ステップ１２１１では、電子現像型記録媒体ＲＭへの適正な電圧印加時間が経過したか否かが判断され、適正な電圧印加時間が経過すると、ステップ１２１２に進み、そこで記録媒体駆動回路４６から電子現像型記録媒体ＲＭに対して出力された記録媒体活性化信号がオフされ、また発光素子駆動回路９４からはオフ信号が出力されて、光源即ち発光素子９０がオフされる。なお、図４を参照して説明したように、電子現像型記録媒体ＲＭに対して適正な電圧印加時間を設定することにより、電子現像型記録媒体ＲＭでは最大コントラストで被写体像を記録することが可能である。
【００６０】
次に、ステップ１２１３では絞り３０が再び全開状態に移行され、またステップ１２１４でクイックリターンミラー３２がアップ位置からダウン位置に移動させられ、その後図９のステップ９０７に戻される。
【００６１】
なお、上述したように、ステップ１２０７において、電子現像型記録媒体ＲＭの静電情報記録媒体７８とその電荷保持媒体（液晶表示素子）８０との間に所定電圧が印加されるとき、光源即ち発光素子９８が発光素子駆動回路９４によってオンされ、またステップ１２１２において、電子現像型記録媒体ＲＭの静電情報記録媒体７８とその電荷保持媒体（液晶表示素子）８０との間への電圧印加が停止されるとき、光源即ち発光素子９８が発光素子駆動回路９４によってオフされる。かくして、電子現像型記録媒体ＲＭの検出領域８８にはそれが記録済みであるという情報が書き込まれる。
【００６２】
図１４には図１０のステップ９２１で実行される画像読取り動作ルーチンが示され、また図１５にはその画像読取り動作のタイムチャートが示される。
【００６３】
図９および図１０に示すフローチャートにおいて、ステップ９１５、９１６および９１７からなるルーチンが繰り返されている間に、ユーザがスキャンスタートスイッチ（ＳＳ）２３をオンすると、スキャンスタートスイッチ２３からオン信号が出力され（図１５）、これにより先に述べたような一連のルーチンが実行される。その後、図１４のフローチャートのステップ１４０１に進み、そこでシャッタ３４が開放状態とされ、次いでステップ１４０２では電源５０がオンされ、続いてステップ１４０３では画像読取り機構４８が順方向に駆動される。なお、画像読取り機構４８が図２の実線位置から破線位置に向かって移動する場合の移動方向を順方向として、またその反対を逆方向として定義する。
【００６４】
ステップ１４０５では、画像読取り機構４８が電子現像型記録媒体ＲＭに対して読取り開始位置に到達したか否かが判断される。即ち、画像読取り機構４８のラインセンサ５４が電子現像型記録媒体ＲＭの画像記録領域に対して読取り走査開始位置に到達したか否かが判断される。ラインセンサ５４が読取り走査開始位置に到達すると、ステップ１４０６に進み、そこで画像読取り機構４８の駆動が一旦停止される。なお、画像読取り機構４８の駆動源としてはステップモータあるいはサーボモータ等が用いられ、その駆動制御についてはスキャナ系駆動回路５８からの駆動パルスをカウントすることにより行うことができる。
【００６５】
ステップ１４０７では、ラインセンサ５４に対する露光時間、即ちその撮像素子に対する適正な電荷蓄積時間（図１５）が経過したか否かが判断される。かかる露光時間が経過すると、ステップ１４０８に進み、そこでラインセンサ５４から画像信号が読み出され、これら画像信号は先に述べたようにアンプ６２およびＡ／Ｄ変換６４を経て適宜処理された後にメモリ６８に一時的に格納され、次いで画像記録装置７４内のＩＣメモリカード、フロッピーディスク、着脱自在のハードディスク等のメモリ媒体の指定ファイルのデータ領域に順次格納される。
【００６６】
ステップ１４０９では画像読取り機構４８が順方向に駆動され、次いでステップ１４１０ではその画像読取り機構４８が次の読取り位置に到達したか否が判断される。即ち、画像読取り機構４８のラインセンサ４８が次の読取り走査ラインまで到達したか否が判断される。ラインセンサ４８が次の読取り走査ラインに到達すると、ステップ１４１１に進み、そこで画像読取り機構４８の駆動が停止される。次に、ステップ１４１２では、電子現像型記録媒体ＲＭの記録画像が全て読み取られたが否かが判断され、この段階では、記録画像の読取りは未だ完了していないので、ステップ１４１２からステップ１４０７に戻って、同様なルーチンが実行される。
【００６７】
本実施形態では、例えば電子現像型記録媒体ＲＭの記録画像に対する全水平方向走査線の数は２，０００  本とされ、このためステップ１４０７からステップ１４１２までルーチンは２，０００  回繰り返される。図１２から明らかなように、画像読取り機構４８はその画像読取り期間中に２，０００  回にわたって順方向に間欠的に移動させられ、その間欠的移動時にラインセンサ５４からの画像信号の読出が行われる。
【００６８】
電子現像型記録媒体ＲＭの記録画像に対する読取りが完了すると、ステップ１４１２からステップ１４１３に進み、そこでラインセンサ５４の電源がオフされ、次いでステップ１４１４では光源５０もオフされる。続いて、ステップ１４１５では、シャッタ３４が閉鎖される。次に、ステップ１４１６では、画像読取り機構４８が逆方向（即ち、図２において、破線位置から実線位置に向かって）に駆動させられ、ステップ１４１７で画像読取り機構４８が初期位置に到達したかが判断される。画像読取り機構４８が初期位置に到達すると、ステップ１４１８に進み、そこで画像読取り機構４８の駆動が停止され、その後図９のステップ９０１に戻る。
【００６９】
以上述べたように、本発明では、電子現像型記録媒体ＲＭの記録画像から読み出された画像信号がＩＣメモリカード、フロッピーディスク、着脱自在のハードディスク等のメモリ媒体のファイルのデータ領域に書き込まれたとき、そのファイルのヘッダ領域のヘッダ情報データを書き換えて、そこに格納された情報データが画像信号であることが明らかにされている。したがって、かかるメモリ媒体内に多数のファイルが含まれていても、個々のファイルに格納された情報データが画像信号であるかそれ以外のものであるかはそのヘッダ領域のヘッダ情報データにアクセルすることにより判断することができる。
【００７０】
図１６および図１７を参照すると、画像記録装置７４内のＩＣメモリカード、フロッピーディスク、着脱自在のハードディスク等のメモリ媒体から画像信号をインターフェイス回路７０および出力端子コネクタ２６を介して外部のパーソナルコンピュータ等に転送するための画像信号転送ルーチンが示される。この画像信号転送ルーチンについては、例えば外部のパーソナルコンピュータから画像信号転送指令信号がインターフェイス回路７０および出力端子コネクタ２６を介して電子現像型カメラに出力された際に実行される割込みルーチンとして構成され得る。
【００７１】
先ず、ステップ１６０１では、画像記録装置７４内のメモリ媒体のディレクトリエントリ領域からファイル名データが取り込まれ、次いでステップ１６０２では、ファイル選択スイッチ７５によって指定されたファイル名がかかるメモリ媒体内にあるか否かが判断される。もしメモリ媒体内に指定ファイルがある場合には、ステップ１６０３に進み、そこで該指定ファイルのヘッダ領域からヘッダ情報データが取り込まれる。次いで、ステップ１６０４に進み、そこで該指定ファイルが画像ファイルであるか否かが、即ちそのデータ領域内に格納されている情報データが画像信号であるか否かが判断される。
【００７２】
もし指定ファイルが画像ファイルであるならば、ステップ１６０４からステップ１６０５に進み、そこで画像信号の転送が開始される。即ち、指定ファイルのデータ領域から画像信号が読み出され、その読出し画像信号がインターフェース回路７０および出力端子コネクタ２６を介して外部のパーソナルコンピュータに転送される。次いで、ステップ１６０６に進み、そこで画像信号の転送が完了したか否かが判断される。画像信号の転送が完了すると、この画像信号転送ルーチンは一旦終了するが、外部のパーソナルコンピュータから画像信号転送指令信号が更に電子現像型カメラに対して出力されていれば、該画像信号転送ルーチンは再び実行される。
【００７３】
ステップ１６０２において、指定ファイル名がかかるメモリ媒体内にない場合には、ステップ１６０７に進み、そこで記録媒体検出フラグＦ１が“１”であるか“０”であるかが判断される。もしＦ１＝１であれば、即ち電子現像型カメラ内に電子現像型記録媒体ＲＭが装填されていれば、ステップ１６０８に進み、そこで図１１に示した記録媒体記録済み判別ルーチンが実行される。記録媒体記録済み判別ルーチンが終了すると、ステップ１６０９に進み、そこで記録媒体判別フラグＦ２が“１”であるか“０”であるかが判断される。
【００７４】
Ｆ２＝０であるとき、即ち電子現像型記録媒体ＲＭが記録済みであるとき、ステップ１６０９からステップ１６１０に進み、そこで画像記録装置７４内のメモリ媒体の記憶容量が十分であるか否かが判断される。もし記憶容量が十分であれば、ステップ１６１１に進み、そこで該メモリ媒体のディレクトリエントリおよびＦＡＴのファイル管理データが書き換えられ、これによりかかるメモリ媒体内の任意のファイルに指定ファイル名が付与される。次いで、ステップ１６１２に進み、かかる指定ファイルのヘッダ領域に必要なヘッダ情報データ例えばファイルの属性、ヘッダ領域の長さ、データ領域のオフセット量等が書き込まれる。
【００７５】
続いて、ステップ１６１３に進み、そこで図１４に示した画像読取り作動ルーチンが実行され、これにより上述の指定ファイルのデータ領域には電子現像型記録媒体ＲＭから読み取られた画像信号が順次格納される。画像読取り作動ルーチンが終了すると、ステップ１６０５に進み、そこでかかる指定ファイルのデータ領域からの画像信号の転送が上述したような態様で行なわれる。
【００７６】
なお、ステップ１６１０で画像記録装置７４内のメモリ媒体の記憶容量が不十分であると判断されると、ステップ１６１４に進み、そこで該メモリ媒体の記憶容量が不足である旨が液晶表示パネル２２に表示され、次いでステップ１６１５に進み、そこでＩＣメモリカード、フロッピーディスク、ハードディスク等のメモリ媒体が交換されたか否かが判断され、メモリ媒体が交換されると、ステップ１６１５からステップ１６０１に戻される。
【００７７】
一方、ステップ１６０７において、もしＦ１＝０であれば、即ち電子現像型カメラ内に電子現像型記録媒体ＲＭが装填されていないとき、ステップ１６１６に進み、そこで画像信号の転送作動は禁止され、次いでステップ１６１７に進み、そこで転送すべき画像信号が無い旨が液晶表示パネル２２に表示される。また、ステップ１６０９において、もしＦ２＝１であるときも、即ち電子現像型記録媒体ＲＭが未記録の場合にも、ステップ１６１６に進み、同様なルーチンが行なわれる。
【００７８】
ステップ１６０４において、指定ファイルが画像ファイルでない場合、即ちそのデータ領域内に格納されている情報データが画像信号でない場合には、ステップ１６１８に進み、そこで画像記録装置７４内のメモリ媒体には、指定ファイル名と同じファイル名であるが、しかし画像ファイルでないものがある旨および指定ファイル名を変更し得る旨が液晶表示パネル２２に表示される。この場合、指定ファイル名と同一ファイル名のものには画像信号以外の情報データが格納されており、これはユーザによるファイル選択スイッチ（ＦＳ）７５の誤操作等に起因し得るものである。かくして、電子現像型カメラ側では、指定ファイル名を変更し得る旨を液晶表示パネル２２に表示することにより、ユーザに正しい指定を促すことになる。ファイル名の変更はファイル選択スイッチ７５によって先の指定ファイル以外のファイルを選択して指定することにより行なわれ、このようなファイル名の変更操作はファイル指定完了スイッチ（ＦＤ）７７を押下してオンすることにより完了する。また、指定ファイル名を変更しない場合には、ファイル選択スイッチ７５を操作することなくファイル指定完了スイッチ７７だけが押下されてオンされる。なお、ファイル指定完了スイッチ７７の操作についてはユーザに予め知識として与えることもできるし、あるいは以上のような手順を液晶表示パネル２２に順次表示するようにしてもよい。
【００７９】
以上で述べたように、指定ファイル名を変更する場合でも、指定ファイル名を変更しない場合でも、最終的にはファイル指定完了スイッチ（ＦＤ）７７が押下され、ステップ１６１９ではそのようなファイル指定完了スイッチ７７の押下即ちオンが監視される。ステップ１６１９でファイル指定完了スイッチ７７の押下が確認されると、ステップ１６２０に進み、そこで指定ファイル名の変更があったか否かが判断される。指定ファイル名の変更があったとき、ステップ１６２０からステップ１６０１に戻り、それ以後のルーチンは上述した通りである。また指定ファイル名の変更がなかったとき、ステップ１６２０からステップ１６０７に進み、それ以後のルーチンも上述した通りである。
【００８０】
以上述べたように、本発明では、パーソナルコンピュータ等から画像信号の転送指令があったとき、画像記録装置７４内のＩＣメモリカード、フロッピーディスク、着脱自在のハードディスク等のメモリ媒体に指定ファイルが無い場合であっても、あるいは該指定ファイルに画像信号が格納されていない場合（即ち、そのファイルヘッダが画像信号を格納していないことを示す場合）であっても、電子現像型カメラに装填された電子現像型記録媒体ＲＭが記録済であれば、そこの記録画像を画像信号として読み取ってパーソナルコンピュータ等に画像信号を転送することができる。
【００８１】
図１８には本発明による電子現像型カメラの第２の実施形態がブロック図として示され、このブロック図は図２に示した第１の実施形態のブロック図から光源即ち発光素子９０、光センサ９２、発光素子駆動回路９４およびアンプ９６を省いたものに相当する。なお、図１８では、図２に示した構成要素と同様な構成要素には同じ参照符号が用いられる。図１８に示すように、第２の実施形態では、電子現像型記録媒体ＲＭが電子現像型カメラのカメラ本体１０に装填されたとき、その検出領域８８が待機位置の画像読取り機構４８の光源５０とスキャナ光学系５２との間に介在するようにされる。要するに、第２の実施形態では、画像読取り機構４８における光源５０およびＣＣＤラインセンサ５４には図２の光源９０および光センサ９２の役割も担わせられる。
【００８２】
第２の実施形態では、電子現像型カメラの作動自体は図８、図９および図１０に示したフローチャートを参照して説明した場合と実質的に同じであるが、しかし記録媒体記録済み判定ルーチンおよび撮影作動ルーチンが幾分異なる。図１９には第２の実施形態における記録媒体記録済み判別ルーチンが示され、また図２０および図２１のそれぞれには第２の実施形態における撮影作動ルーチンおよびそのタイムチャートが示される。
【００８３】
図１９の記録媒体記録済み判別ルーチンにおいて、先ず、ステップ１９０１では、照明光源５０が照明光源駆動回路５６によってオンされ、次いでステップ１９０２ではラインセンサ５４が作動されてその出力信号がシステムコントロール回路２８内に取り込まれる。ラインセンサ５４によって受けられた光は照明光源５０から射出されて電子現像型記録媒体ＲＭの検出領域８８を透過して来たものであるから、ラインセンサ５０からの出力信号は検出領域８８の透過率情報を持つことになる。
【００８４】
ステップ１９０３では、ラインセンサ５４に蓄積された電荷の総量が演算されて、透過率測定データＭＰが算出され、次いでステップ１９０４で照明光源５０がオフされる。続いて、ステップ１９０５では、透過率測定データＭＰが基準透過率測定データＲＰと比較される。なお、基準透過率測定データＲＰは図１１を参照して説明した場合と同様にシステムコントロール回路２８の読出し専用メモリ（ＲＯＭ）に格納されるものであって、例えば図４において参照符合ＲＬで示す透過率レベルに対応するものである。ステップ１９０５で透過率測定データＭＰが基準透過率データＲＰよりも小さいと判断されたとき、即ち電子現像型記録媒体ＲＭが未記録であるとき、ステップ１９０６に進み、そこで記録媒体判別フラグＦ２は“１”とされる。一方、ステップ１９０５で透過率測定データＭＰが透過率レベルＲＬよりも大幅に大きいと判断されたとき、即ち測定対象となっている電子現像型記録媒体ＲＭが記録済みのものである場合には、ステップ１９０７に進み、そこで記録媒体判別フラグＦ２は“０”とされる。
【００８５】
図２０には第２の実施形態での撮影動作ルーチンが示され、また図２１にはその撮影動作のタイムチャートが示される。図２０の撮影作動ルーチンはそのステップ２００７および２０１２を除けば図１２に示したものと同様である。即ち、ステップ２００７では、電子現像型記録媒体ＲＭの静電情報記録媒体７８とその電荷保持媒体（液晶表示素子）８０との間に所定電圧が印加されるとき、照明光源５０が照明光源駆動回路５６によってオンされ（図２１）、またステップ２０１２では、電子現像型記録媒体ＲＭの静電情報記録媒体７８とその電荷保持媒体（液晶表示素子）８０との間への電圧印加が停止されるとき、照明光源５０が照明光源駆動回路５６によってオフされる（図２１）。要するに、以上の点を除けば、図２０に示したステップ２００１ないしステップ２０１４のそれぞれは図１２に示したステップ１２０１ないし１２１４に対応する。なお、第２の実施形態で行われる記録済み電子現像型記録媒体ＲＭからの画像読取り動作については、図１４の画像読取り作動ルーチンおよび図１５のタイムチャートを参照して説明した場合と実質的に同じである。
【００８６】
上述した実施形態の説明において、電子現像型カメラは一眼レフカメラの形式のものとされているが、しかしその他のタイプのカメラ例えばレンズシャッタ式カメラにも本発明を適用し得ることが理解されるべきである。なお、レンズシャッタ式カメラの場合には、上述した実施形態のように、画像読取り機構４８の駆動時にシャッタを開放する必要がないことは言うまでもない。
【００８７】
本発明において、電子現像型記録媒体ＲＭが記録済みであるか否かを判別する方法として、更に別の方法を採用することも可能である。例えば、電子現像型記録媒体ＲＭに画像を記録した後にユーザに適当なマークを筆記具等で施すようにすることも可能であり、この場合そのマークの存在を検出することにより、電子現像型記録媒体ＲＭが記録済みであるか否かが判別される。その他の方法として、通常のオーディオカセットテープで再記録を防止するための機械的に除去可能な爪片がそのカセットに設けられるが、そのような爪片を電子現像型記録媒体ＲＭに組み込む、該爪片の有無を検出することにより電子現像型記録媒体が未記録であるか記録済であるかを判別することも可能である。
【００８８】
【発明の効果】
以上の記載から明らかように、本発明によれば、画像記録装置内のＩＣメモリカード、フロッピーディスク、着脱自在のハードディスク等のメモリ媒体から画像信号を転送すべき指令が外部のパーソナルコンピュータ等によって発せられた場合、それに応じることができないという状況を少なくすることができる。
【図面の簡単な説明】
【図１】本発明による電子現像型カメラの第１の実施形態の外観を概略的に示す斜視図である。
【図２】図１に示した電子現像型カメラのブロック図である。
【図３】第１の実施形態で用いる電子現像型記録媒体の構成を概略的に示す断面図である。
【図４】図３に示した電子現像型記録媒体の透過率特性を示すグラフである。
【図５】本発明の第１の実施形態で用いられる電子現像型記録媒体の外観を示す概略図である。
【図６】図１のブロック図の画像記録装置内に装填されるＩＣメモリカード、フロッピーディスク、着脱自在のハードディスク等のメモリ媒体のフォーマット化の一例を示す模式図である。
【図７】図６に示すファイルの１つを更に詳細に示す模式図である。
【図８】図１および図２に図示した電子現像型カメラに電子現像型記録媒体が装填されているか否かを検出するための記録媒体検出ルーチンを示すフローチャートである。
【図９】図１および図２に図示した電子現像型カメラの作動を説明するためのメインルーチンの一部を示すフローチャートである。
【図１０】図１および図２に図示した電子現像型カメラの作動を説明するためのメインルーチンのその他の部分を示すフローチャートである。
【図１１】図９および図１０に示したメインルーチンの一部を成す記録媒体記録済み判別ルーチンを示すフローチャートである。
【図１２】図９および図１０のメインルーチンの一部を成す撮影動作ルーチンを示すフローチャートである。
【図１３】図１２の撮影作動ルーチンに関連したタイムチャートである。
【図１４】図９および図１０のメインルーチンの一部を成す画像読取り動作ルーチンを示すフローチャートである。
【図１５】図１４の画像読取り作動ルーチンに関連したタイムチャートである。
【図１６】図１に示したブロック図の画像記録装置内のＩＣメモリカード、フロッピーディスク、着脱自在のハードディスク等のメモリ媒体から画像信号を外部のパーソナルコンピュータ等に転送する際に実行される画像信号転送ルーチンの一部を示すフローチャートである。
【図１７】図１に示したブロック図の画像記録装置内のＩＣメモリカード、フロッピーディスク、着脱自在のハードディスク等のメモリ媒体から画像信号を外部のパーソナルコンピュータ等に転送する際に実行される画像信号転送ルーチンのその他の部分を示すフローチャートである。
【図１８】本発明による電子現像型カメラの第２の実施形態のブロック図である。
【図１９】図１８の第２の実施形態におけるメインルーチンの一部を成す記録媒体記録済み判別ルーチンを示すフローチャートである。
【図２０】図１８の第２の実施形態におけるメインルーチンの一部を成す撮影動作ルーチンを示すフローチャートである。
【図２１】図２０の撮影動作ルーチンに関連したタイムチャートである。
【符号の説明】
１０  カメラ本体
１２  撮像光学系
１６  レリーズスイッチ
１８  測光センサ
２２  液晶表示パネル
２４  メインスイッチ
２６  出力端子コネクタ
３２  クイックリターンミラー
３４  シャッタ
４８  画像読取り機構
５０  光源
５２  スキャナ光学系
５４  ラインセンサ
７５  ファイル選択スイッチ
７６  液晶表示パネル駆動回路
７７  ファイル指定完了スイッチ
７８  静電情報記録媒体
８０  電荷保持媒体
８２  電源
８４  矩形状フレーム
８６  画像記録領域
８８  検出領域
９０  光源（発光素子）
９２  光センサ
９４  発光素子駆動回路
９６  アンプ
９８  媒体検出センサ（コンタクトスイッチ）
ＲＭ  電子現像型記録媒体
【図１】
0003595406.tif 000002
【図２】
0003595406.tif 000003
【図３】
0003595406.tif 000004
【図４】
0003595406.tif 000005
【図５】
0003595406.tif 000006
【図６】
0003595406.tif 000007
【図７】
0003595406.tif 000008
【図８】
0003595406.tif 000009
【図９】
0003595406.tif 000010
【図１０】
0003595406.tif 000011
【図１１】
0003595406.tif 000012
【図１２】
0003595406.tif 000013
【図１３】
0003595406.tif 000014
【図１４】
0003595406.tif 000015
【図１５】
0003595406.tif 000016
【図１６】
0003595406.tif 000017
【図１７】
0003595406.tif 000018
【図１８】
0003595406.tif 000019
【図１９】
0003595406.tif 000020
【図２０】
0003595406.tif 000021
【図２１】
0003595406.tif 000022